(57)【要約】【課題】灯具が過度に押込まれてもこの灯具を付勢する弾性部材が永久変形しないようにした照明器具を提供する。【解決手段】照明器具１は、光源20を内蔵した灯具11、器具本体31、板ばね41、ストッパ51を具備する。灯具11の正面側部位は半球状外面12ａを有し、灯具11の背面側部位は球面の一部からなる背面17ａを有する。器具本体31は、複数のばね取付け孔35と、半球状外面12ａの最大径より小径な開口32ａを有する。開口32ａの縁で半球状外面12ａを受けて灯具11による照射方向を可変できるように灯具を変向可能に支持する。板ばね41は、取付け孔35に取付けられる複数の固定部42と、これら固定部間にわたって設けられて背面17ａに弾性的に接する押圧部43を有し、灯具11を開口32ａの縁に押付ける。ストッパ51を器具本体31に固定的に設ける。灯具11が板ばね41方向へ押込み移動される際、移動される灯具11をストッパ51で受止めるようにしたことを特徴としている。【選択図】      図７
2008112582.tif 000002
【特許請求の範囲】
【請求項１】
光源が内蔵された灯具であって、この灯具の正面側部位が半球状外面を有し、かつ、前記灯具の背面側部位が球面の一部からなる背面を有した前記灯具と；
複数の部材取付け部を有するとともに前記半球状外面の最大径より小径な開口を有し、この開口の縁で前記半球状外面を受けて前記灯具による照射方向を可変できるように前記灯具を変向可能に支持する器具本体と；
前記部材取付け部に取付けられる複数の固定部、及びこれら固定部間にわたって設けられて前記背面に弾性的に接する押圧部を有して、前記灯具を前記開口の縁に押付ける弾性材製の押圧部材と；
前記器具本体に固定的に設けられ前記灯具が前記押圧部材方向へ押込み移動された際に移動される灯具を受止めるストッパと；
を具備したことを特徴とする照明器具。
【請求項２】
前記ストッパを前記器具本体の内部に取付けたリングで形成したことを特徴とする請求項１に記載の照明器具。
【発明の詳細な説明】
【技術分野】
【０００１】
本発明は、光源を有した灯具の向きを自在に可変して光の照射方向を調節できる読書灯等の照明器具に関する。
【背景技術】
【０００２】
従来、器具本体が有した円形開口の縁に、光源が内蔵された略球状の灯具を載置し、弾性部材が有した一対の固定部を器具本体に固定させて、弾性部材の押さえ部を灯具の背面に当接させることにより、灯具を上方から押えて灯具の器具本体への取付けと灯具の照射方向の保持とを実現したダウンライトが知られている（例えば、特許文献１参照。）。
【０００３】
このダウンライトでは、器具本体の円形開口の縁とこれに押付けられた灯具との間の摩擦力、及び灯具とこれに弾性的に接した押さえ部との間の摩擦力により、灯具を静止状態に保持できる。これとともに、器具本体の円形開口の下側から灯具を前記摩擦力に抗して回転操作して、灯具の向きを任意に変えることにより、灯具からの光の照射方向を調節できる。
【特許文献１】特開2005−149790号公報（段落0013−0019、図１−図５）
【発明の開示】
【発明が解決しようとする課題】
【０００４】
特許文献１の照明器具は、その灯体が押込まれた場合、押込まれた灯体を弾性部材のみで受止める構成である。このため、照明器具を設置する際に灯具の回転状態を確認する際や実際の使用時等に、誤って灯体が過度に押込まれることがあると、弾性部材の特に押さえ部が過度に変形して、永久変形を起こす恐れがある。このようなことは照明器具がダウンライトではなく、その灯具が押される可能性が高い条件で使用される場合により顕在化する。そして、弾性部材が永久変形すると、灯具を所定の力で押せなくなるに伴い、灯具を調節した向きに保持する性能が低下して、照射方向を保持し難くなる。
【０００５】
本発明の目的は、灯具が過度に押込まれてもこの灯具を付勢する弾性部材が永久変形しないようにした照明器具を提供することにある。
【課題を解決するための手段】
【０００６】
請求項1の発明は、光源が内蔵された灯具であって、この灯具の正面側部位が半球状外面を有し、かつ、前記灯具の背面側部位が球面の一部からなる背面を有した前記灯具と；複数の部材取付け部を有するとともに前記半球状外面の最大径より小径な開口を有し、この開口の縁で前記半球状外面を受けて前記灯具による照射方向を可変できるように前記灯具を変向可能に支持する器具本体と；前記部材取付け部に取付けられる複数の固定部、及びこれら固定部間にわたって設けられて前記背面に弾性的に接する押圧部を有して、前記灯具を前記開口の縁に押付ける弾性材製の押圧部材と；前記器具本体に固定的に設けられ前記灯具が前記押圧部材方向へ押込み移動された際に移動される灯具を受止めるストッパと；を具備したことを特徴としている。
【０００７】
請求項１の発明で、器具本体の開口は、その全周縁で灯具の半球状外面を支持することが好ましいが、開口縁の周方向に沿ってこの縁の一部をなす支持凸部を三箇所以上間隔的に好ましくは等間隔に設け、これら支持凸部に灯具の半球状外面を支持させることもできる。請求項１の発明で、半球状外面の頂部に出射凸部を突設して、この凸部を通して光源が発した光を出射させてもよく、又、出射凸部を除去して半球状外面の頂部を通して光源が発した光を出射させてもよい。請求項１の発明で、光源には、発光ダイオード以外のランプを用いることが可能である。請求項１の発明で、ストッパは、器具本体の外側から内側にねじ込まれて器具本体内に突出する複数のねじで形成できるとともに、器具本体からその内側に起こされた複数の切起こし部で形成することもでき、これらの場合できる限り多くのストッパを設けるとよい。又、ストッパが器具本体とは別部品からなる場合、このストッパは器具本体の中心軸線が延びる方向に多少がたつくことが可能に設けられていてもよい。
【０００８】
請求項１の発明では、通常、押圧部の弾性力で灯具が器具本体の開口の縁に押付けられているので、灯具はストッパから離間している。これにより、灯具が変向操作されることに伴う灯具の動きをストッパが妨げないので、灯具の向きを変えて光の照射方向を任意に調節できる。そして、誤って灯具が過大な力で押込まれた場合、灯具がストッパに受止められるので、それ以上、灯具が押込まれないようにできる。これにより、灯具を器具本体の開口に向けて付勢している弾性部材の押圧部に過大な押込み荷重の全てが作用することがなくなり、弾性部材が永久変形しないようにできる。
【０００９】
請求項２の発明は、前記ストッパを前記器具本体の内部に取付けたリングで形成したことを特徴としている。
【００１０】
この発明では、灯具が過度に押し込まれる方向がいかなる方向であっても、押込まれた灯具をストッパで確実に受止めることができる。
【発明の効果】
【００１１】
請求項１の発明によれば、灯具が過度に押込まれた場合に、この灯具を付勢する弾性部材に押込み荷重の全てが作用することがないので、弾性部材の永久変形を防止することが可能な照明器具を提供できる。
【００１２】
請求項２の発明によれば、灯具が過度に押し込まれる方向がいかなる方向であっても、押込まれた灯具をストッパで確実に受止めて、弾性部材が永久変形しないようにできる。
【発明を実施するための最良の形態】
【００１３】
図１〜図８を参照して本発明の一実施形態を説明する。この実施形態の照明器具は読書灯１として使用される。即ち、例えば客車、航空機の客室、客船等の輸送体内の通路の少なくとも片側に座席が、通路が延びる方向に沿って並べて配置され、これらの座席が有した背凭れの上端部でかつ背凭れの幅方向一端部、言い換えれば、座席肩部に、読書灯１が設置されている。この場合、通路側と窓側に並べられている一対の座席のうちで、通路側の座席については通路側の座席肩部に読書灯１が設置され、又、窓側の座席については窓側の座席肩部に読書灯１が設置される。読書灯１は、座席に着座した乗客が読書をする場合に、乗客の肩越しから手元を向けて光をスポット的に投光して照明する。
【００１４】
図１〜図８に示すように読書灯１は、灯具１１と、器具本体３１と、弾性材製の押圧部材例えば板ばね４１と、ストッパ５１とを具備している。
【００１５】
灯具１１は、カバー１２、灯具ボディ１５、光源２０、レンズ２２等を備えている。
【００１６】
カバー１２は、灯具１１の正面側部位をなすものであって、合成樹脂製である。図３及び図６等に示すようにカバー１２は、半球状外面１２ａを有し、この外面１２ａの頂部から一体に突出された出射凸部１３を有して、椀形状に形成されている。出射凸部１３の先端は開放されている。出射凸部１３と反対側のカバー１２の端も開放されており、この開放端部において半球状外面１２ａの外径は最大となっている。
【００１７】
灯具ボディ１５は、灯具１１の背面側部位をなすものであって、金属、好ましくは鉄よりも軽量でかつ熱伝導性も優れるアルミニウム合金のダイキャスト製品である。図３、図６〜図８等に示すように灯具ボディ１５は、ボディ基部１６と、背面凸部１７と、一対の円弧状部１８を備えている。
【００１８】
ボディ基部１６はカバー１２の内部に配置される部位である。ボディ基部１６をカバー１２内に挿入する時に先頭となる端面、つまり、出射凸部１３側を向いた端面１６ａは平坦面で形成されている。
【００１９】
背面凸部１７はボディ基部１６の背面側に一体に突設されている。背面凸部１７の両側面は互いに略平行であり、これら両側面間の背面１７ａは球面の一部で形成されている。背面凸部１７は一対の溝１７ｂを有している。これらの溝１７ｂは、背面凸部１７の頂部からずらして形成され背面１７ａに開放している。
【００２０】
一対の円弧状部１８は、その両端をボディ基部１６の側面に一体に連続させて、ボディ基部１６の側面から直角に張り出すように設けられている。これら円弧状部１８はカバー１２の大径開口端に被さるようになっているとともに、円弧状部１８の中央部外周面に夫々突起１８ａが設けられている。これらの突起１８ａは背面凸部１７から遠ざかるように突出している。図６に示すように灯具ボディ１５は、円弧状部１８とボディ基部１６の側面との間に夫々形成された凹部１５ａを有している。
【００２１】
以上のように灯具ボディ１５の背面凸部１７の両側面を互いに略平行とし、この背面凸部１７に一対の溝１７ｂを設け、灯具ボディ１５に一対の凹部１５ａを設けた構成は、金属製の灯具ボディ１５を軽くするのに寄与し、結果的に回転操作される部分である灯具１１の軽量化とともに読書灯１全体の軽量化ができる点で好ましい。更に、一対の溝１７ｂ及び一対の凹部１５ａによって灯具ボディ１５の表面積が増やされるので、この灯具ボディ１５からの放熱性能を向上できる点でも好ましい。
【００２２】
灯具ボディ１５とカバー１２とは、図７に示すように互いに嵌合された状態で、溝１７ｂからボディ基部１６を通ってカバー１２にねじ込まれた一対のねじ１９によって連結されている。
【００２３】
図６及び図７に示すように光源２０には基板２０ａ上に例えば白色発光をするＬＥＤ（発光ダイオード）２０ｂを実装したものが用いられている。光源２０は、ボディ基部１６の端面１６ａ上に熱伝導性シート２１を挟んで配置されている。光源２０を被って配置されるレンズ２２はＬＥＤ２０ｂが発した光を制御して出射するものであって、レンズホルダ２３内に支持されている。レンズホルダ２３は二つ割りのホルダ部材を組み合わせて形成されている。レンズホルダ２３は出射凸部１３内に挿入してカバー１２の内側に配置されている。そして、レンズホルダ２３は、一対の凹部１５ａの内側から夫々挿入されボディ基部１６を通ってレンズホルダ２３のねじ受け部にねじ込まれたねじ２４によって、灯具ボディ１５に取付けられている。
【００２４】
この取付けにより、レンズホルダ２３とボディ基部１６の端面１６ａとの間に、互いに重なった熱伝導性シート２１と光源２０の基板２０ａとが挟まれて、熱伝導性シート２１がボディ基部１６の端面１６ａに密接されている。これにより、点灯に伴いＬＥＤ２０ｂが発生する熱を、熱伝導性シート２１を経由してボディ基部１６に円滑に伝達して、このボディ基部１６の表面から放出できるので、ＬＥＤ２０ｂの温度上昇が抑制されて所定の発光性能を維持できる。
【００２５】
図１〜図３及び図６中符号２６は絶縁被服された電線を示し、電線２６は一方の凹部１５ａの底を通って光源２０の基板２０ａに設けた図示しない給電用のパターンに接続されている。図３〜図６に示すように電線２６は、背面凸部１７の一側面に沿っており、この部分において背面凸部１７の一側面にねじ止めされた電線ホルダ２７で保持されている。
【００２６】
器具本体３１は、例えばアルミニウム合金のダイキャスト製品であって、図１〜図４等に示すようにリング部３２の背面に一対の円弧状壁３３を突設して形成されている。リング部３２が有した円形の開口３２ａは半球状外面１２ａの最大径より小径であり、この開口３２ａの縁は半球状外面１２ａに接触してこの半球状外面１２ａを摺動可能に支持する弧状面で形成されている。
【００２７】
一対の円弧状壁３３は、それらの間に灯具１１を収容するように相対向して設けられ、その円弧状壁３３の円弧が延びる方向の端間には隙間Ｇ（図３参照）が形成されている。これら一対の隙間Ｇは器具本体３１の周方向に略１８０度離れている。隙間Ｇの幅は灯具ボディ１５の突起１８ａの幅より広い。
【００２８】
各円弧状壁３３の夫々には、リング部３２と反対側の端部に位置して少なくとも一つのガイド部３４及び部材取付け部として例えばばね取付け孔３５が設けられている。ガイド部３４は、前記反対側の端部の端面に開放しているとともに、この端面から円弧状壁３３の外面にせり出すように傾斜して形成されている。ばね取付け孔３５は、ガイド部３４に対してこれよりリング部３２寄りに隣接して設けられた四角孔で形成されている。
【００２９】
各円弧状壁３３の内面の夫々には、リング部３２と反対側の端部に位置して段部３６が形成されている。これらの段部３６は円弧状壁３３の円弧に沿って延びて形成されている。段部６の途中に凹溝３７がばね取付け孔３５に連続して設けられている。
【００３０】
図１、図３、図４に示すように板ばね４１は、器具本体３１に形成されたばね取付け孔３５と同数の固定部４２と、これら固定部間にわたる押圧部４３とを有している。各固定部４２は、等間隔例えば１２０°毎に配置されていて、いずれもＬ字形状に曲げて形成されている。押圧部４３は三本のアームを放射状に突出させた形状、言い換えれば、三叉形状をなしていて、夫々のアームの先端から固定部４２が折り曲げられている。この板ばね４１は、夫々の固定部４２をばね取付け孔３５に外側から挿入して引掛けることにより器具本体３１に取付けられる。
【００３１】
図３等に示すようにストッパ５１は、例えば金属のリングで形成されている。このリング形のストッパ５１の外周の一部には回り止め凸部５２が一体に突設されている。回り止め凸部５２の幅は前記隙間Ｇに嵌合されるようにこの隙間Ｇの幅と略等しく形成されている。ストッパ５１の内周には逃げ溝５３が回り止め凸部５２に隣接するように設けられている。この逃げ溝５３はストッパ５１内を通って引出される前記電線２６との干渉を抑制するために設けられている。図６及び図７に示すようにストッパ５１は段部３６に支持されて器具本体３１の内部に配置される。
【００３２】
次に、器具本体３１、板ばね４１、ストッパ５１、及び予め組立てられた灯具１１を用意して読書灯１を組立てる手順を説明する。
【００３３】
まず、器具本体３１の一対の隙間Ｇに灯具１１の一対の突起１８ａを位置合わせし、灯具１１を、そのカバー１２を先頭にして器具本体３１の内側に収容する。これにより、出射凸部１３を含むカバー１２の頂部側部分が器具本体３１の開口３２ａに挿通されて、この開口３２ａの縁に灯具１１の半球状外面１２ａが接して灯具１１が支持される。これとともに、一対の突起１８ａが対応する一対の隙間Ｇ内に配置される。又、この収容状態で灯具１１の背面凸部１７の先端部は器具本体３１の円弧状壁３３より高く突出される。
【００３４】
この後、灯具１１から引き出されている電線２６に対して逃げ溝５３が対向するようにリング形のストッパ５１を器具本体３１内に収容して、この器具本体３１の段部３６にストッパ５１を載せるとともに、このストッパ５１の回り止め凸部５２を一方の隙間Ｇに嵌合させる。これにより、灯具１１の背面凸部１７がストッパ５１に接することなくこの内側に通されるとともに、灯具１１の円弧状部１８が灯具１１の円弧状部１８に対して器具本体３１の中心線が伸びる方向に離れて配置される。この離間距離を図５及び図６に符号Ｌで示す。離間距離Ｌは器具本体３１に対して灯具１１を人間の手で動かすことを許容するために設けられる。
【００３５】
最後に、板ばね４１を器具本体３１に取付ける。この取付けは、各固定部４２を夫々器具本体３１のガイド部３４に合わせて板ばね４１を押えることにより行われる。それにより、固定部４２が、弾性変形を伴ってガイド部３４を滑りながら通過した直後に、ばね取付け孔３５に入り込んで引っ掛かる。この場合、図１及び図２に示すように固定部４２を段部３６との間にストッパ５１を挟むように配置する。したがって、板ばね４１の取付けと同時に、この板ばね４１を利用してストッパ５１を器具本体３１から外れないように保持できる。
【００３６】
そして、以上の手順での組立てによって、板ばね４１の押圧部４３はある程度弾性変形した状態となって、その中央部４３ａが灯具１１の背面１７ａに弾性的に接するとともに、灯具１１の半球状外面１２ａが開口３２ａの縁に押付けられた状態となって、器具本体３１から外れないように灯具１１が保持される。そのため、器具本体３１の開口３２ａの縁とこれに押付けられた灯具１１の半球状外面１２ａとの間の摩擦力、及び灯具１１の背面１７ａとこれに押付けられて点接触した板ばね４１の押圧部４３との間の摩擦力により、灯具１１が静止状態に保持される。又、図４中二点鎖線で示すように電線２６は押圧部４３の一つのアーム４３ｂを迂回して器具本体３１外に引き出されている。この電線２６の中間部は、押圧部４３に形成したホルダ受け部４４に取付けられる図示しない電線ホルダを介して押圧部４３に保持されるとともに、この保持部と前記電線ホルダ２７とによって、これらの間の電線部分が、灯具１１の動きに拘わらずにアーム４３ｂに接触することがないように形付けられている。
【００３７】
前記構成の読書灯１は、図５中に二点鎖線で示す保護ケース５７に収容されて前記座席の肩部に取付けられる。保護ケース５７は出射凸部１３が通される孔を有している。この孔は灯具１１の傾き調節を妨げない径で形成されている。座席への取付け状態で、保護ケース５７の前面は、座席が有した図示しないクッション材及び表カバーで覆われるが、これらクッション材及び表カバーを通って出射凸部１３が突出されている。これにより、出射凸部１３を摘んで灯具１１を傾けるなど灯具１１の向きを調節できるので、出射凸部１３がない構成に比較して調節操作が容易で僅かな動きでも正確に操作することができる。この場合、灯具１１を押してその半球状外面１２ａが開口３２ａより離れるように操作すると、灯具１１の動きに対する抵抗が減るので、灯具１１の向きの調節をより容易にできる。
【００３８】
こうして灯具１１からの光の照射方向を変える調節をするには、前記摩擦力に勝る操作力を灯具１１に与えて、この灯具１１を回転操作することで実現される。その際、灯具１１の半球状外面１２ａは器具本体３１の開口３２ａの縁を滑り動き、かつ、灯具１１の背面１７ａは板ばね４１の中央部４３ａを滑り動く。そのため、灯具１１が所望の向きに調節された時点で出射凸部１３から手を離すことにより、そのときの位置に灯具１１を静止させることができる。なお、器具本体３１の隙間Ｇの幅は灯具１１の突起１８ａより十分に大きいので、前記調節において突起１８ａは隙間Ｇ内を遊び動くとともに、突起１８ａが円弧状壁３３に当たる場合には灯具１１の最大傾き角度が規制される。
【００３９】
以上の調節操作の際に灯具１１が過大な力で押込まれることが考えられる。この他、前記通路を通る乗客が誤って読書灯１を手で突いた場合に灯具１１は過大な力で押込まれる。この場合、灯具１１が最大で前記離間距離Ｌの分だけ押込まれ、それに伴い背面凸部１７が板ばね４１の押圧部４３を押して、この押圧部４３を弾性変形させる。
【００４０】
しかし、ある程度前記押込みが進行すると、灯具１１の円弧状部１８が器具本体３１に取付けられたストッパ５１に当たる。このストッパ５１は、複数個所のばね取付け孔３５に引っ掛かって器具本体３１に支持されている板ばね４１の固定部４２で支持されている。したがって、ストッパ５１を介して板ばね４１で灯具１１が受止められて、それ以上の灯具１１の押込みが妨げられる。つまり、前記離間距離Ｌを越えて灯具１１が過度に押込まれないようにできる。これにより、灯具１１を器具本体３１の開口３２ａに向けて付勢している板ばね４１の押圧部４３に過大な押込み荷重の全てが作用することがなくなる。そして、ストッパ５１により灯具１１の押込みが制限された時、板ばね４１の押圧部４３の変形は未だ弾性限界内にあるので、板ばね４１の永久変形が防止される。そして、前記過大な押込み力が消失すると同時に、板ばね４１の押圧部４３の弾性復帰により灯具１１が押戻される。従って、板ばね４１のばね力による前記摩擦力が所定値に保持されるので、灯具１１を調節した向きに保持する性能が低下しないようにでき、それに伴い灯具１１の照射方向を確実に保持できる。
【００４１】
更に、ストッパ５１はリングであるから、過度に灯具１１が押込まれる際に、この灯具１１の向きがどうであっても、言い換えれば、灯具１１が過度に押し込まれる方向がいかなる方向であっても、板ばね４１を介して器具本体３１に支持されているストッパ５１で、押込まれた灯具１１を確実に受止めることができる。このことは、灯具１１を押込むようにしながらこの灯具１１の向きを調節する場合でも同様であり、この場合、ストッパ５１での位置規制により、向きが変えられつつある灯具１１の回転の中心となる位置が大きく変わることを制限できるので、灯具１１の向きの調節が容易である。
【００４２】
又、以上の受止めに伴い、或いは灯具１１の向きの調節において、ストッパ５１にその周方向に沿う移動力が作用することがあるが、回り止め凸部５２が隙間Ｇに嵌合しているので、リング形のストッパ５１が回転されることがない。そのため、電線２６が板ばね４１の縁に接して傷付けられないようにできる。そして、以上の回り止めの構成は、回り止め部品を格別に要しない点で好ましい。
【００４３】
しかも、ストッパ５１を器具本体３１に取付けるのに、器具本体３１に取付けられた板ばね４１の複数の固定部４２を利用して、これらと器具本体３１に設けた段部３６との間にストッパ５１を挟んで実現したので、格別な部品を要しない点で好ましい。
【図面の簡単な説明】
【００４４】
【図１】本発明の一実施形態の照明器具を背面側から見て示す斜視図。
【図２】図１の照明器具を表側から見て示す斜視図。
【図３】図１の照明器具を分解して示す斜視図。
【図４】図１の照明器具を示す背面図。
【図５】図１の照明器具を示す側面図。
【図６】図１の照明器具を示す断面図。
【図７】図６中Ｆ７−Ｆ７線に沿う断面図。
【図８】図１の照明器具をその板ばねを除去した状態で示す背面図。
【符号の説明】
【００４５】
１…読書灯（照明器具）、１１…灯具、１２…カバー(正面側部位)、１２ａ…半球状外面、１５…灯具ボディ（背面側部位）、１７…背面凸部、１７ａ…背面、２０…光源、２０ｂ…ＬＥＤ，３１…器具本体、３２ａ…器具本体の開口、３５…ばね取付け孔（部材取付け部）、３６…段部、４１…板ばね（押圧部材）、４２…固定部、４３…押圧部、５１…ストッパ
【図１】
2008112582.tif 000003
【図２】
2008112582.tif 000004
【図３】
2008112582.tif 000005
【図４】
2008112582.tif 000006
【図５】
2008112582.tif 000007
【図６】
2008112582.tif 000008
【図７】
2008112582.tif 000009
【図８】
2008112582.tif 000010